(57)【要約】【課題】回動軸電磁式駆動装置を押さえ装置に近いミシンヘッド部の背面カバーに設置し、回転式可動鉄心を応用した電磁石にリンク部材機構を組み合わせ、押さえ装置の昇降を電気制御し、ミシン縫い作業をより円滑に行うことができる、ミシンの押さえ装置の連動構造の提供。【解決手段】回動軸電磁式駆動装置をミシンヘッド部の背面カバー上に結合させ、電磁式駆動装置を押さえ装置の近くに設置し、回転式可動鉄心を第一リンク部材と第二リンク部材に接続し、押さえ装置の昇降を制御する。これにより、可動鉄心が迅速に反応してリンク部材を駆動でき、精確に押さえ装置を昇降させる作用が得られ、且つ、各部品が小さく簡単であり、製造コストを抑えることができると共に、メンテナンス上も簡便にすることができる。【選択図】図１
0003125021.tif 000002
【実用新案登録請求の範囲】
【請求項１】
回動軸電磁式駆動装置及びリンク機構を含み、そのうち、前記回動軸電磁式駆動装置がミシンのミシンヘッド背面カバー上に設置され、押さえ装置の近くに位置し、電磁式駆動装置の回動軸の末端が前記リンク機構の第一リンク部材下端部の非円形の嵌合孔に接続され、前記第一リンク部材の他端が第二リンク部材上に枢着され、前記第二リンク部材の末端がミシン内部の押さえ装置の上昇装置連動部材上に枢着される構成としたことを特徴とするミシンの押さえ装置の連動構造。
【請求項２】
前記回動軸の末端に嵌合平面が設けられ、前記第一リンク部材末端の嵌合孔上に嵌固され位置決めされる構成としたことを特徴とする請求項１に記載のミシンの押さえ装置の連動構造。
【請求項３】
前記押さえ装置の上昇装置連動部材が接続棒の左端に枢着され、前記接続棒の右端が持ち上げ部材上端部に枢着され、前記持ち上げ部材の中央がミシンヘッド上に軸着され、前記持ち上げ部材の下端部が押さえ装置上軸牽引片に枢着されると共に、前記押さえ装置上軸牽引片が押さえ装置上軸固定部に掛止され、押さえ装置上軸を上昇させることができ、押さえ装置上軸の上端部に長い復帰バネが穿設される構成としたことを特徴とする請求項１に記載のミシンの押さえ装置の連動構造。
【考案の詳細な説明】
【技術分野】
【０００１】
本考案はミシンの押さえ装置の連動構造に関し、詳細には、回動軸可動鉄心を備えた電磁石をミシンのミシンヘッド背面カバー上に設置し、リンク機構を組み合わせて押さえ装置を電気制御して昇降させ、ミシン縫い作業をより円滑に行うことを可能にする、ミシンの押さえ装置の連動構造に関する。
【背景技術】
【０００２】
押さえ装置はミシンにおいて布を押さえるために用いられ、一般的な従来のミシンを用いたミシン縫い作業は、一つの作業物品の縫い合わせが終わり続いて次の物品の縫い合わせを行うとき、手動で押さえ装置のつまみを切り換え、つまみ末端の凸形部材を一定角度回動させてリンク機構を上方向に移動させ、押さえ装置を上に持ち上げて２つの作業物品間に糸だけが繋がった状態にし、縫い糸が絡まることがないようにする。しかしながら、従来の作業者は手動で押さえ装置の高さを変える作業方法に頼る必要があり、手動ではミシン縫い作業が中断されて生産効率が低くなってしまうという欠点があり、効率を上げるために業者は連動機構と電磁駆動装置を用いコンピュータプログラムを利用して適当なタイミング下で自動的に電磁装置を起動して押さえ装置を上げるという設計を提供している。
【０００３】
従来、足で操作するタイプの押さえ装置上昇リンク設計がすでに存在しているが、その設計において電動モーターがミシン平台の下方位置に設置されており、押さえ装置から一定長さ離れているため、ミシン内部に長いリンク部材が設置され、間接的に押さえ装置内部に連結されている内部リンク部材を導引し、作動時に押さえ装置の上昇または下降を制御するものである。これは、自動制御装置が遠くに設置されているため、リンク機構の設計上体積が大きく、部品数が多くなり、必要となる製造コストが高くなってしまうだけでなく、その誤差値も制御しにくいという欠点がある。
【考案の開示】
【考案が解決しようとする課題】
【０００４】
本考案の主な目的は、回動軸電磁式駆動装置を押さえ装置に近い側のミシンヘッド部の背面カバー箇所に設置し、回転式可動鉄心を応用した電磁石にリンク部材機構を組み合わせ、押さえ装置の昇降作用を電気制御し、ミシン縫い作業をより円滑に行うことができる、ミシンの押さえ装置の連動構造を提供することにある。
【０００５】
本考案の別の目的は、電磁式駆動装置を現有のリンク部材に結合し、全体の構造が簡潔で、生産が容易であり、製造コストを抑えることができる、ミシン押さえ装置の連動構造を提供することにある。
【課題を解決するための手段】
【０００６】
上述の目的を達するため、本考案のミシンの自動押さえ装置の構造は、回動軸電磁式駆動装置をミシンヘッド部の背面カバー上に結合させ、電磁式駆動装置を押さえ装置の近くに設置し、回転式可動鉄心を第一リンク部材と第二リンク部材に接続し、押さえ装置の昇降を制御する。これにより、可動鉄心が迅速に反応してリンク部材を駆動でき、精確に押さえ装置を昇降させる作用が得られ、且つ、各部品が小さく簡単であり、製造コストを抑えることができると共に、メンテナンス上も簡便にすることができる。        
【考案を実施するための最良の形態】
【０００７】
図１から図３に示すように、本考案のミシンの押さえ装置の連動構造は、電磁式駆動装置１０が設けられ、そのうち前記電磁式駆動装置１０は鉄管外殼１１、コイル１２、下蓋１３、底環状盤１４、C字形リング１５、バネ１６、軸座体１７、回動軸１８及び複数のボール１９から構成される。
【０００８】
前記鉄管外殼１１は内部にコイル１２を収容する空間を備え、前記鉄管外殼１１はさらに片側の側面板体上に複数の陥没状のボール溝槽２１が設けられ、各ボール溝槽２１内にはグリースを塗った後ボール１９が組み込まれ、さらに前記軸座体１７上の回動軸１８を鉄管外殼１１の中に穿入させ、前記軸座体１７の環状板体上に設けた複数の凹槽２２が前記ボール１９上にそれぞれ被せられ、ボール１９がボール溝槽２１と凹槽２２の間で移動するよう制限される。前記コイル１２は回動軸１８が穿出されている側から前記鉄管外殼１１内に設置され、コイル１２の底部が下蓋１３により当接され、さらに下蓋１３の軸孔２３内に薄型軸受２４が設置され、前記回動軸１８が薄型軸受２４に穿通されて軸孔２３との過度の摩擦が防止されると共に、前記底環状盤１４が前記下蓋１３の底部に当接され、下蓋１３上の位置決めボルト２５が底環状盤１４上の孔２６に穿入され、底環状盤１４の中央孔には外側に向かって突出した当接板２７が環状に配置され、前記回動軸１８の末端には平面２８及び環状溝２９が形成され、軸の末端に嵌合平面２０が設けられ、これにより、前記C字形リング１５が前記環状溝２９と嵌合された後、下蓋１３と鉄管外殼１１及び軸座体１７が一体として結合され、バネ１６が回動軸１８の平面２８上及び環状に配列された当接板２７の間に設置され、全体を組み立てると通電後に可動鉄心の回動軸１８は左方向に約２５度の角度で回動が可能になる。
【０００９】
図４から図６に示すように、電磁式駆動装置１０は２本の突出した位置決めボルト２５をミシンのミシンヘッド部３０の背面カバー３１の固定孔３２に穿入し、穿通された位置決めボルト２５にナット３３を螺合して固定され、電磁式駆動装置１０の回動軸１８末端が孔３４内に穿入される。回動軸１８をミシンの押さえ装置のリンク機構に接続し、間接的にミシンヘッド３０前端部の押さえ装置４０の上昇を制御する。
【００１０】
リンク部材機構は棒片を接続した第一リンク部材３５及び第二リンク部材３６を含み、前記第一リンク部材３５の一端に非円形の嵌合孔３７が設けられ、他端が前記第二リンク部材３６上に枢着され、前記第二リンク部材３６の末端がミシン内部の押さえ装置の上昇装置連動部材４１上に枢着される。回動軸１８の末端に嵌合平面２０が設けられ、前記第一リンク部材３５末端の嵌合孔３７上に嵌固され位置決めされる。押さえ装置の上昇装置連動部材４１は同時に接続棒４２の左端が枢着され、前記接続棒４２の右端が持ち上げ部材４３上端部に枢着される。
【００１１】
図７、図８に示すように、電磁式駆動装置１０が制御を受けて回動軸１８を回動させると、第一リンク部材３５が揺動し同時に第二リンク部材３６が図の左方向へ引き動かされ、押さえ装置の上昇装置連動部材４１には接続棒４２が接続されており、この接続棒４２の右端と持ち上げ部材４３上端部が枢着され、さらに持ち上げ部材４３中央がミシンヘッド３０上に枢着されているため、持ち上げ部材４３上端部が左方向へ引かれると、下端部が持ち上がり、押さえ装置上軸牽引片４４が持ち上げられ、間接的に押さえ装置上軸固定部４６が上昇して押さえ装置上軸４７を上昇させ、最後に下端部の押さえ装置４０を持ち上げる。ミシンの押さえ装置機構は押さえ装置上軸４７上端部に長い復帰バネ４５が穿置され、電磁式駆動装置１０の回動軸１８が元の位置を回復すると、押さえ装置４０は前記復帰バネ４５により付勢されて安定した状態で下降し元の位置を回復する。
【００１２】
上述のように、本考案は回動軸式電磁駆動装置をミシンのミシンヘッド部の背面カバー上に設置し、押さえ装置の近くに位置させ、連結された簡易なリンク部材機構を間接的にミシン押さえ装置を動作させ、電磁駆動装置が迅速に押さえ装置の上昇または下降の動作を完了させることができ、実用的な設計となっている。
【図面の簡単な説明】
【００１３】
【図１】本考案の電磁駆動装置の構造を示す立体分解図である。
【図２】本考案の電磁駆動装置の立体外観図である。
【図３】本考案の電磁駆動装置の断面図である。
【図４】本考案をミシンに設置する前の状態を示す立体斜視図である。
【図５】本考案をミシンに設置した後の状態を示す立体外観図である。
【図６】本考案をミシンに設置した後の連動機構を示す透視図である。
【図７】本考案の駆動状態を示す透視図である。
【図８】本考案の駆動後の押さえ装置の上昇を示す透視図である。
【符号の説明】
【００１４】
１０      電磁式駆動装置
１１      外殼              
１２      線圈
１３      下蓋              
１４      底環状盤
１５      C字形リング          
１６      バネ
１７      軸座体              
１８      回動軸
１９      ボール              
２０      嵌合平面
２１      ボール溝槽          
２２      凹槽
２３      軸孔              
２４      薄型軸受
２５      位置決めボルト          
２６      孔
２７      当接板              
２８      平面
２９      環状溝
３０      ミシンヘッド            
３１      背面カバー
３２      固定孔            
３３      ナット
３４      孔                
３５      第一リンク部材
３６      第二リンク部材          
３７      嵌合孔
４０      押さえ装置            
４１      押さえ装置の上昇装置連動部材件
４２      接続棒            
４３      持ち上げ部材
４４      押さえ装置上軸牽引片    
４５      復帰バネ
４６      押さえ装置上軸固定部  
４７      押さえ装置上軸
【図１】
0003125021.tif 000003
【図２】
0003125021.tif 000004
【図３】
0003125021.tif 000005
【図４】
0003125021.tif 000006
【図５】
0003125021.tif 000007
【図６】
0003125021.tif 000008
【図７】
0003125021.tif 000009
【図８】
0003125021.tif 000010